(57)【要約】【課題】７セグメント表示器を時計として用いながら、小数点表示用のドット表示器も使用し、かつ電源表示用インジケータ等の状態表示用の表示器を別途容易する必要がない表示器を提供する。【解決手段】表示器１１は、通常の設置態様とは異なり、上下反転させて、小数点表示用のドット表示部１０３Ａ，ドット表示部１０３Ｂ，ドット表示部１０３Ｃおよびドット表示部１０３Ｄが天面側となるようにオーディオ装置１に設置されている。マイコン２２は、現在時刻に対応した時刻表示を行うように、発光制御部２１を制御するが、複数の７セグメント表示部を上下反転時に数字として認識されるように発光制御を行う。これにより、表示器１１を上下反転させてオーディオ装置１に設置した場合に、ユーザは、７セグメント表示部を時計として視認することができ、かつ上下反転されて設置されていることを認識することがなく、違和感を覚えることがない。【選択図】図４
2013072707.tif 000002
【特許請求の範囲】
【請求項１】
複数の７セグメント表示部と、コロン表示部と、各７セグメント表示部に設けられた小数点用のドット表示部と、を有した７セグメントモジュールからなる表示器であって、
前記７セグメント表示部、前記コロン表示部、および前記ドット表示部の点灯制御を行う制御部を備え、
前記制御部は、前記少数点用のドット表示部を下になるよう配置した正位置表示と上下逆向きの逆位置表示での使用時に前記正位置での使用時と同じように数字として認識されるように前記複数の７セグメント表示部の点灯制御を行うことに加えて少数点の表示以外の機能表示として前記少数点用のドット表示部の点灯制御を行うことを特徴とする表示器。
【請求項２】
前記小数点用のドット表示部の周囲に、電源を含む状態用表記が設けられ、
前記制御部は、電源を含む状態に応じて前記小数点用のドット表示部の点灯制御を行うことを特徴とする請求項１に記載の表示器。
【請求項３】
前記制御部は、前記小数点用のドット表示部のうち、前記コロン表示部に最も近接するドット表示部を点灯させないことを特徴とする請求項１または請求項２に記載の表示器。
【請求項４】
複数の７セグメント表示部と、コロン表示部と、各７セグメント表示部に設けられた小数点用のドット表示部と、を有した７セグメントモジュールからなる表示器の使用方法であって、
前記表示器を、前記少数点用のドット表示部を下になるよう配置した正位置表示と上下逆向きに電子機器に設置して、前記正位置表示と上下逆向きの逆位置表示での使用時に前記正位置での使用時と同じように数字として認識されるように前記複数の７セグメント表示部の点灯制御を行うことに加えて少数点の表示以外の機能表示として前記少数点用のドット表示部の点灯制御を行うことを特徴とする表示器の使用方法。
【発明の詳細な説明】
【技術分野】
【０００１】
この発明は、電子機器に搭載される表示器に関するものである。
【背景技術】
【０００２】
従来、電子機器には、何らかの数字を表示するために、７セグメント表示器が多く用いられている（例えば特許文献１を参照）。７セグメント表示器は、複数桁の表示ができるように、複数の７セグメント表示器が集積されたモジュールとして提供される。
【０００３】
最も普及しているモジュールとしては、４桁の表示ができるように、４つの７セグメント表示器と、中心にコロン表示器（時と分を分けるもの）と、各７セグメント表示器の右下に設けられた小数点用のドット表示器と、を有したものがある。
【０００４】
このようなモジュールは、デジタル時計として用いられる場合には小数点用のドット表示器は使用されず、時計以外の用途として用いられる（例えば特許文献１のような絞り表示を行う）場合、コロン表示器は使用されない。
【先行技術文献】
【特許文献】
【０００５】
【特許文献１】特開平０８−２４８４９８
【発明の概要】
【発明が解決しようとする課題】
【０００６】
しかし、上記のような一般的な使用方法では、デジタル時計として用られる場合には小数点用のドット表示器が無駄になり、時計以外の用途として用いられる場合、コロン表示器が無駄になる。
【０００７】
また、電子機器の電源表示用インジケータ等を別途用意するとなると、その分だけコストがかかる、という課題もある。
【０００８】
そこで、本発明は、７セグメント表示器を時計として用いながら、小数点表示用のドット表示器も使用し、かつ電源表示用インジケータ等の状態表示用の表示器を別途容易する必要がない表示器を提供することを目的とする。
【課題を解決するための手段】
【０００９】
この発明の表示器は、複数の７セグメント表示部と、コロン表示部と、各７セグメント表示部に設けられた小数点用のドット表示部と、を有した７セグメントモジュールからなる表示器であって、前記７セグメント表示部、前記コロン表示部、および前記ドット表示部の点灯制御を行う制御部を備え、前記制御部は、前記少数点用のドット表示部を下になるよう配置した正位置表示と上下逆向きの逆位置表示での使用時に前記正位置での使用時と同じように数字として認識されるように前記複数の７セグメント表示部の点灯制御を行うことに加えて少数点の表示以外の機能表示として前記少数点用のドット表示部の点灯制御を行うことを特徴とする。
【００１０】
このように、上下反転時に数字として認識されるように７セグメント表示部を点灯制御することで、小数点表示用のドット表示部は、各７セグメント表示部の上側に位置することになり、ユーザが小数点表示として誤認識することがなく、当該小数点表示用のドット表示部を他の表示用途に用いることができる。
【００１１】
例えば、小数点用のドット表示部の周囲に、電源を含む状態用表記を設け、制御部が、電源を含む状態に応じて前記小数点用のドット表示部の点灯制御を行うことで、電源オン、オフの状態を表すインジケータとして使用することができる。この場合、小数点表示用のドット表示部を電源表示用に代替え可能であるため、電源表示用インジケータを別途用意する必要がなくなる。
【００１２】
特に、７セグメント表示部は、上下左右対称形状であり、デジタル時計として用いるためのコロン表示部は表示器の中心位置に設けられているため、上下反転させても全く同じ表示態様で時計表示を行うことができ、ユーザが違和感を覚えることはない。
【００１３】
ただし、小数点用のドット表示部のうち、コロン表示部に最も近接するドット表示部は、点灯させると時計表示に影響があるため、点灯させないことが好ましい。
【発明の効果】
【００１４】
この発明によれば、７セグメント表示器を時計として用いながら、小数点表示用のドット表示器も使用し、かつ電源表示用インジケータ等の状態表示用の表示器を別途容易する必要がない。
【図面の簡単な説明】
【００１５】
【図１】オーディオ装置の外観図である。
【図２】オーディオ装置の主要構成を示すブロック図である。
【図３】表示器の拡大図である。
【図４】表示器の表示制御例を示す図である。
【発明を実施するための形態】
【００１６】
図１（Ａ）は本発明の表示器を備えたオーディオ装置の外観斜視図、図１（Ｂ）は同オーディオ装置の外観正面図である。図２は、同オーディオ装置の主要構成を示すブロック図である。図３は、オーディオ装置に設置された表示器の拡大図である。
【００１７】
オーディオ装置１は、外観上、直方体形状の筐体を有し、筐体正面に表示器１１、スピーカ１２、およびボリューム摘み１３を備え、筐体上面にユーザインタフェース（Ｉ／Ｆ）１５および外部装置接続用インタフェース１６を備えている。
【００１８】
スピーカ１２およびボリューム摘み１３は、アクリル板等からなる透過性の前面パネル１４に設けられた円形の開口部分に設けられている。表示器１１は、この透過性の前面パネル１４から覗くように筐体内部に設けられている。
【００１９】
表示器１１は、ＬＥＤや蛍光表示管からなる７セグメントモジュールであり、主に時刻表示を行う（図４（Ａ）を参照）。
【００２０】
オーディオ装置１は、図２に示すように、表示器１１の発光制御（各セグメントの点灯制御）を行う発光制御部２１、オーディオ装置１を統括的に制御するマイコン２２、マイコン２２の動作用プログラム（ファームウェア）が記憶されたメモリ２３、オーディオ装置１に電源を供給する電源供給部２４、および時計機能部２５を備えている。なお、オーディオ装置１は、外部装置接続用インタフェース１６から入力されるオーディオ信号（オーディオデータ）を処理し、スピーカ１２を駆動するための各種構成等が存在するが、本実施形態では図２に示した構成以外のものについては、図示および説明を省略する。
【００２１】
マイコン２２は、本発明の制御部に対応し、時計機能部２５から現在時刻を示す情報を入力し、当該現在時刻に対応した時刻表示を行うように、発光制御部２１を制御する。発光制御部２１は、マイコン２２からの制御に従って、表示器１１の各セグメントの発光制御を行う。
【００２２】
図３（Ａ）に示すように、表示器１１は、複数（同図においては４つ）の７セグメント表示部１０１Ａ，７セグメント表示部１０１Ｂ，７セグメント表示部１０１Ｃおよび７セグメント表示部１０１Ｄと、コロン表示部１０２と、複数（同図においては４つ）の小数点表示用のドット表示部１０３Ａ，ドット表示部１０３Ｂ，ドット表示部１０３Ｃおよびドット表示部１０３Ｄと、を備えている。
【００２３】
表示器１１は、図３（Ｂ）に示すように、本来、小数点表示用のドット表示部１０３Ａ，ドット表示部１０３Ｂ，ドット表示部１０３Ｃおよびドット表示部１０３Ｄを下側にして電子機器に設置するものである。つまり、表示器１１は、デジタル時計として用いたり、時計以外の用途として用いたり（例えば特開平０８−２４８４９８のような絞り表示を行う等）することができる汎用モジュールとなっている。表示器１１は、デジタル時計として用いられる場合には小数点用の各ドット表示部は使用されず、時計以外の用途として用いられる場合にはコロン表示部１０２は使用されない。
【００２４】
本実施形態における表示器１１は、少数点用の各ドット表示部を下になるよう配置した正位置表示と上下逆向きの逆位置表示で使用する。すなわち、小数点表示用のドット表示部１０３Ａ，ドット表示部１０３Ｂ，ドット表示部１０３Ｃおよびドット表示部１０３Ｄが天面側となるようにオーディオ装置１に設置されている。各７セグメント表示部は、上下左右対称形状であり、かつ、複数の７セグメント表示部の設置位置も上下左右対称配置となっているため、上下反転させてオーディオ装置１に設置しても全く同じ外観となり、ユーザが違和感を覚えることはない。
【００２５】
上述したように、マイコン２２は、現在時刻に対応した時刻表示を行うように、発光制御部２１を制御するが、図４（Ａ）に示すように、複数の７セグメント表示部を逆位置表示で使用する時に正位置での使用時と同じように数字として認識されるように発光制御を行う。すなわち、図４（Ｂ）に示すように、マイコン２２は、小数点表示用の各ドット表示部を下側にする正位置表示の設置態様において、本来、時の十の位を表す７セグメント表示部１０１Ｄを、分の一の位に対応させ、かつ上下左右反転表示となるように発光制御を行う。同様に、マイコン２２は、本来、時の一の位を表す７セグメント表示部１０１Ｃを、分の十の位に対応させ、かつ上下左右反転表示となるように発光制御を行い、本来、分の十の位を表す７セグメント表示部１０１Ｂを、時の一の位に対応させ、かつ上下左右反転表示となるように発光制御を行い、本来、分の一の位を表す７セグメント表示部１０１Ａを、時の十の位に対応させ、かつ上下左右反転表示となるように発光制御を行う。
【００２６】
これにより、表示器１１を上下反転させてオーディオ装置１に設置した場合に、ユーザは、７セグメント表示部を時計として視認することができ、かつ上下反転されて設置されていることを認識することがなく、違和感を覚えることがない。
【００２７】
また、コロン表示部１０２は、中央の７セグメント表示部１０１Ｂおよび７セグメント表示部１０１Ｃの間に設けられている。コロン表示部１０２も、上下左右対称に、かつ表示器１１のほぼ中心位置に配置されているため、上下反転させて設置しても全く同じ外観となり、ユーザが違和感を覚えることはない。
【００２８】
コロン表示部１０２が点灯することで、ユーザは、７セグメント表示部１０１Ａおよび７セグメント表示部１０１Ｂを時を表す表示器として認識し、７セグメント表示部１０１Ｃおよび７セグメント表示部１０１Ｄを分を表す表示器として認識することができる。また、コロン表示部１０２を１秒おきに点滅させることで、ユーザは、コロン表示部１０２を秒針として認識することができる。
【００２９】
なお、コロン表示部１０２は、縦に２つ並んだドット表示部からなり、マイコン２２は、２つのドット表示部を同時に点灯または消灯する制御を行うだけで、上下反転させても発光制御自体に変化はない。
【００３０】
次に、小数点表示用のドット表示部について説明する。ドット表示部１０３Ａの近傍には、電源（ＰＯＷＥＲ）表記１０４Ａが設けられ、ドット表示部１０３Ｂの近傍には、１２時間時刻表示時の午後（ＰＭ）表記１０４Ｂが設けられ、ドット表示部１０３Ｄの近傍には、アラーム（ＡＬＡＲＭ）表記１０４Ｃが設けられている。ドット表示部１０３Ｃの近傍には何も表記が設けられていない。
【００３１】
ただし、これら状態用表記は、表示器１１の表面ではなく、オーディオ装置１の前面パネル１４に印刷等の手法で形成されている。この場合、ユーザは、各ドット表示部の点灯の有無に関わらず各状態用表記を視認することができるようになっている。また、ユーザは、前面パネル１４を経て表示器１１を視認するため、点灯していないセグメントやドットは、前面パネル１４によって視認性が低下し、発光しているセグメントやドットだけが強調して視認されるようになっている。
【００３２】
図２において、電源供給部２４は、オーディオ装置１に電源供給すると、マイコン２２に電源供給情報を送信する。マイコン２２は、電源供給情報を受信すると、ドット表示部１０３Ａを発光するように、発光制御部２１を制御する。発光制御部２１は、マイコン２２からの制御に従って、ドット表示部１０３Ａを発光させる。また、電源供給部２４は、電源オフ（スタンバイ状態）となると、マイコン２２に電源オフ情報を送信する。マイコン２２は、電源オフ情報を受信すると、ドット表示部１０３Ａを消灯するように、発光制御部２１を制御する。発光制御部２１は、マイコン２２からの制御に従って、ドット表示部１０３Ａを消灯させる。このように、電源オン／オフに応じてドット表示部１０３Ａの発光オン／オフを行うことで、電源表示用インジケータとして機能させることができる。
【００３３】
また、マイコン２２は、時計機能部２５から入力されている現在時刻について、午後０時となった時点でドット表示部１０３Ｂを発光するように、発光制御部２１を制御する。発光制御部２１は、マイコン２２からの制御に従って、ドット表示部１０３Ｂを発光させる。また、マイコン２２は、時計機能部２５から入力されている現在時刻について、午前０時となった時点でドット表示部１０３Ｂを消灯するように、発光制御部２１を制御する。発光制御部２１は、マイコン２２からの制御に従って、ドット表示部１０３Ｂを消灯させる。このように、ドット表示部１０３Ｂの発光オン／オフを行うことで、１２時間時刻表示時の午後表示用インジケータとして機能させることができる。
【００３４】
さらに、図２において、ユーザがユーザＩ／Ｆ１５を用いて、アラーム機能をオンする操作を行うと、ユーザＩ／Ｆ１５からマイコン２２にアラームオン情報が送信される。マイコン２２は、アラームオン情報を受信すると、ドット表示部１０３Ｄを発光するように、発光制御部２１を制御する。発光制御部２１は、マイコン２２からの制御に従って、ドット表示部１０３Ｄを発光させる。また、ユーザがユーザＩ／Ｆ１５を用いて、アラーム機能をオフする操作を行うと、ユーザＩ／Ｆ１５からマイコン２２にアラームオフ情報が送信される。マイコン２２は、アラームオフ情報を受信すると、ドット表示部１０３Ｄを消灯するように、発光制御部２１を制御する。発光制御部２１は、マイコン２２からの制御に従って、ドット表示部１０３Ｄを消灯させる。
【００３５】
ただし、コロン表示部１０２に最も近接するドット表示部１０３Ｃは、点灯することがない。コロン表示部１０２に近接したドット表示部１０３Ｃが点灯すると、ユーザがコロン表示部１０２を時計として認識し難くなるため、点灯させないことが好ましい。
【００３６】
このように、表示器１１を上下反転させて、小数点表示用のドット表示部１０３Ａ，ドット表示部１０３Ｂ，ドット表示部１０３Ｃおよびドット表示部１０３Ｄが天面側となるようにオーディオ装置１に設置し、各ドット表示部の近接位置に状態表示用の表記を設けることで、ユーザは、各ドット表示部を小数点表示用と誤認することがなく、状態表示用のインジケータとして認識することができる。したがって、各ドット表示部を状態表示用のインジケータとして代替え可能となり、電源表示用インジケータを別途用意する必要がなくなる。
【００３７】
なお、本実施形態では、オーディオ装置に表示器を設置する例について説明したが、本発明の表示器は、オーディオ装置以外にも、各種電子機器に設置することが可能である。
【符号の説明】
【００３８】
１…オーディオ装置
１１…表示器
１２…スピーカ
１３…ボリューム摘み
１４…前面パネル
１５…ユーザｉ／Ｆ
１６…外部装置接続用Ｉ／Ｆ
２１…発光制御部
２２…マイコン
２３…メモリ
２４…電源供給部
２５…時計機能部
１０１Ａ，１０１Ｂ，１０１Ｃ，１０１Ｄ…７セグメント表示部
１０２…コロン表示部
１０３Ａ，１０３Ｂ，１０３Ｃ，１０３Ｄ…ドット表示部
１０４Ａ…電源表記
１０４Ｂ…午後表記
１０４Ｃ…アラーム表記
【図１】
2013072707.tif 000003
【図２】
2013072707.tif 000004
【図３】
2013072707.tif 000005
【図４】
2013072707.tif 000006